(57)【特許請求の範囲】
【請求項１】
送信回路から送信信号を送受波器に送信し、該送受波器から超音波を水中に照射し、水中からの反射波を前記送受波器で受信し、前記送受波器からの反射波信号を受信回路で増幅し、該受信回路で増幅した反射波信号をＡ／Ｄ変換器でデジタル信号に変換し、該Ａ／Ｄ変換器からの反射波信号をモータの回転によって回転する発光体を装着した回転板を設けた表示装置に入力し、該表示装置の表示板の窓から前記発光体で発光表示するようにした魚群探知機のフラッシャー表示装置において、前記表示板の０点位置の近傍に、前記発光体を検出する第１のセンサを装着し、前記表示装置の０点位置と対向する位置の近傍に前記発光体を検出する第２のセンサーを装着した前記表示装置と、前記Ａ／Ｄ変換器からの反射波信号を記憶する第１、第２のメモリと、該第１、第２のメモリからそれぞれ読み出された反射波信号を一旦格納する第１、第２のバッファ機能および前記第２のバッファ機能に接続された逆転読み出し機能とを設けた制御装置と、該制御装置に接続され、前記第２のバッファ機能に入力される前記Ａ／Ｄ変換器からの反射波信号を深度範囲に従って設定する深度設定装置とからなり、前記第１のセンサーで前記表示装置の前記発光体が前記０点位置の通過を検出した時、前記制御装置の第１のバッファ機能から反射波信号を読み出して、発光体に印加することにより、前記表示装置の表示板の一方の半分に通常の水面、魚群、水底の順に表示し、前記第２のセンサーで前記発光体を検出した時、前記深度設定装置で設定した深度範囲に応じて前記第２のバッファ機能から前記反射波信号を水底、魚群の順に逆に読み出して発光体に印加することにより、前記表示装置の表示板の他方の半分に前記深度設定装置で設定した深度範囲を拡大表示することを特徴とする魚群探知機のフラッシャー表示装置。
【発明の詳細な説明】
【０００１】
【産業上の利用分野】
本発明は、表示板の半分に通常の反射波信号を表示し、他の半分に指定された深度範囲を表示する魚群探知機のフラッシャー表示装置に関するものである。
【０００２】
【従来の技術】
従来、この種の魚群探知機のフラッシャー表示装置としては、図５、図６及び図７に示すように、ケース１の前面の全周に窓２を設けた表示板３が装着され、この窓２に対向するように回転板４に発光体５が装着され、この回転板４はモータ６で回転するように構成され、又、表示板３の０表示Ａの位置にセンサー７が装着された表示装置８が構成され、この表示装置８のセンサー７で発光体５が検出された時に、制御装置９から出力信号が送信回路１０に出力され、送信回路１０から送受波器１１に発振信号が出力され、送受波器１１から水中に超音波が照射され、又、水中から反射信号が送受波器１１で受信されると、受信回路１２でこの反射信号が増幅され、Ａ／Ｄ変換器１３でデジタル信号に変換され、このデジタル信号は制御９から表示装置８の発光体５に入力され、それによって、表示板３の窓２に魚Ｂ及び水底Ｃが表示される。
【０００３】
【発明が解決しようとする課題】
しかしながら、このような魚群探知機では、表示板３の最上部に０があり、右回りに順次深さが表示され、さらに、０の近くの左側に最深部を表示するようにしているため、水底Ｃの第２反射Ｄの表示が水底Ｃよりも上部に表示されることになり、読み取りにくいという欠点があり、又、深度が深い場合には、水底Ｃが表示板３の０に近い上方で、魚群の表示より上に表示されるため、読み取りにくいという欠点があった。
【０００４】
【課題を解決するための手段】
本発明は、送信回路から送信信号を送受波器に送信し、該送受波器から超音波を水中に照射し、水中からの反射波を前記送受波器で受信し、前記送受波器からの反射波信号を受信回路で増幅し、該受信回路で増幅した反射波信号をＡ／Ｄ変換器でデジタル信号に変換し、該Ａ／Ｄ変換器からの反射波信号をモータの回転によって回転する発光体を装着した回転板を設けた表示装置に入力し、該表示装置の表示板の窓から前記発光体で発光表示するようにした魚群探知機のフラッシャー表示装置において、前記表示板の０点位置の近傍に、前記発光体を検出する第１のセンサを装着し、前記表示装置の０点位置と対向する位置の近傍に前記発光体を検出する第２のセンサーを装着した前記表示装置と、前記Ａ／Ｄ変換器からの反射波信号を記憶する第１、第２のメモリと、該第１、第２のメモリからそれぞれ読み出された反射波信号を一旦格納する第１、第２のバッファ機能および前記第２のバッファ機能に接続された逆転読み出し機能とを設けた制御装置と、該制御装置に接続され、前記第２のバッファ機能に入力される前記Ａ／Ｄ変換器からの反射波信号を深度範囲に従って設定する深度設定装置とからなり、前記第１のセンサーで前記表示装置の前記発光体が前記０点位置の通過を検出した時、前記制御装置の第１のバッファ機能から反射波信号を読み出して、発光体に印加することにより、前記表示装置の表示板の一方の半分に通常の水面、魚群、水底の順に表示し、前記第２のセンサーで前記発光体を検出した時、前記深度設定装置で設定した深度範囲に応じて前記第２のバッファ機能から前記反射波信号を水底、魚群の順に逆に読み出して発光体に印加することにより、前記表示装置の表示板の他方の半分に前記深度設定装置で設定した深度範囲を拡大表示するものである。
【０００５】
【作用】
本発明では、表示装置の表示板に装着された第１のセンサーによって発光体を検出した時に、制御装置に内蔵された第１のバッファ機能から通常の魚群探知機において検出された反射波信号を表示し、第２センサーで発光体を検出した時に、制御装置に内蔵された第２のバッファ機能により、通常の反射波信号を逆に読み出して表示するとともに、設定装置で設定された深度に応じて拡大することにより、表示装置の表示板の上部が水面に表示され、表示が見易く、又、拡大や水底固定表示ができる。
【０００６】
【実施例】
図１は本発明の１実施例の魚群探知機のフラッシャー表示装置の側面図、図２は図１のフラッシャー表示装置のブロック図で、１はケース、２は窓、３は表示板、４は回転板、５は発光体、６はモータ、８は表示装置、１０は送信回路、１１は送受波器、１２は受信回路、１３はＡ／Ｄ変換器であり、これらの構成は上記従来例と同じであるので説明は省略するが、本実施例では、表示装置８の表示板３の０表示に第１のセンサー７ａを装着し、０表示に対向する位置に第２のセンサー７ｂを装着し、又、Ａ／Ｄ変換器１３の出力端子に第１、第２のメモリ１４、１５を接続し、さらに、第１のメモリ１４の出力は制御装置１６の第１のバッファ機能１６ａに接続され、第２のメモリ１５の出力は制御装置１６の第２のバッファ機能１６ｂに接続され、第２のバッファ機能１６ｂの出力は逆転読み出し機能１６ｃに接続され、第１のバッファ機能１６ａの出力及び逆転読み出し機能１６ｃの出力は表示装置８の発光体５に印加され、又、表示装置８に装着された第１のセンサー７ａは第１のバッファ機能１６ａを駆動するように制御装置１６に入力され、第２のセンサー７ｂは逆転読み出し機能１６ｃを駆動するように制御装置１６に入力され、又、制御装置１６には、深度設定回路１７が接続されている。
【０００７】
このように構成した本実施例の魚群探知機のフラッシャー表示装置では、まず、表示装置８の回転板４がモータ６によって回転され、発光体５が第１のセンサー７ａの位置を通過すると、制御装置１６から送信回路１０に信号が出力され、送信回路１０から送受波器１１に発振信号が印加されることにより、送受波器１１から超音波が水中に照射され、水中からの反射波が再び送受波器１１で受信され、送受波器１１で受信された反射波信号は受信回路１２で増幅されてＡ／Ｄ変換器１３でデジタル信号に変換され、第１、第２のメモリ１４、１５に入力されると、制御装置１６は第１、第２のバッファ機能１６ａ、１６ｂにそれぞれ格納し、次に発光体５が第１のセンサー７ａで検出されると、制御装置１６は、図３に示すように、表示板３の０位置で水面Ａを読み出して点灯表示し、さらに、表示板３の半分に受信された順序で第１のバッファ機能１６ａから読み出して魚群Ｂ１、水底Ｃ１を点灯表示する。
【０００８】
又、第２のセンサー７ｂで発光体５を検出して制御装置１６に検出信号が入力されると、深度設定回路１７で設定された深度範囲Ｅに応じて第２のバッファ機能１６ｂに格納された反射波信号が水底Ｃ２から読み出されて点灯され、さらに、範囲を拡大して、魚群Ｃ２が読み出されて点灯される。
【０００９】
このように構成した本実施例では、表示装置８に第１、第２のセンサー７ａ、７ｂを装着するとともに、制御装置１６に深度設定装置１７で設定された深度範囲Ｅに従って制御装置１６の第２のバッファ機能１６ｂに格納し、さらに、第２のセンサー７ａで発光体５が検出された後に制御装置１６の逆転読み出し機能１６ｃにより第２のバッファ機能１６ｂに格納された反射波信号を水底Ｃ２、魚群Ｂ２の順序で逆に読み出すことにより、表示装置８の表示板３を見た時に、水面Ａが上部に水底Ｃ１、Ｃ２が下方に表示されるので、非常に見やすいとともに、設定された深度範囲を拡大して表示することができる。
【００１０】
なお、図４に示すように、第２のセンサー７ｂで発光体５を検出した後に、すぐに水底Ｃ２を固定して読み出すようにすれば、魚群Ｂ３のように水底Ｃ１の近傍に生息している根魚を拡大して表示することができる。
【００１１】
又、上記実施例の図３及び図４では、右半分に通常の反射波信号を表示し、左半分に深度設定装置１７で設定された深度範囲による反射波信号を表示するようにしたが、回転板４の回転を逆にして、左半分に通常の反射波信号を表示し、右半分に深度設定装置１７で設定された深度範囲による反射波信号を表示してもよい。
【００１２】
【発明の効果】
以上説明したように、本発明の魚群探知機のフラッシャー表示装置では、表示板の一方の半分に通常の反射波信号を表示し、他方の半分に深度設定装置で設定された反射波信号を逆転して読み出し表示することにより、常に水面が上に、水底が下に表示されるので、非常に見やすいという利点があり、さらに、設定された深度範囲の反射波信号の水底の表示を固定することにより、根魚のように、水底の近傍に生息する魚を拡大して表示することができるという利点がある。
【図面の簡単な説明】
【図１】  本発明の１実施例の魚群探知機のフラッシャー表示装置の側面断面図である。
【図２】  図１のフラッシャー表示装置のブロック図である。
【図３】  図１のフラッシャー表示装置の正面図である。
【図４】  図１の他のフラッシャー表示装置の正面図である。
【図５】  従来の魚群探知機のフラッシャー表示装置の側面断面図である。
【図６】  図５のフラッシャー表示装置の正面図である。
【図７】  図５のフラッシャー表示装置装置のブロック図である。
【符号の説明】
１                        ケース
２                        窓
３                        表示板
４                        回転板
５                        発光体
６                        モータ
７ａ                      第１のセンサー
７ｂ                      第２のセンサー
８                        表示装置
１０                      送信回路
１１                      送受波器
１２                      受信回路
１３                      Ａ／Ｄ変換器
１４                      第１のメモリ
１５                      第２のメモリ
１６                      制御装置
１７                      深度設定装置
【図１】
0004274333.tif 000002
【図２】
0004274333.tif 000003
【図３】
0004274333.tif 000004
【図４】
0004274333.tif 000005
【図５】
0004274333.tif 000006
【図６】
0004274333.tif 000007
【図７】
0004274333.tif 000008